(57)【特許請求の範囲】
【請求項１】
第１の枠と、
上記第１の枠の内部に配され、上記第１の枠に対し光軸方向に相対的に移動可能な第２の枠と、
上記第１の枠の内周側に形成された直進ガイド部と、
上記第２の枠の外周側に形成され、上記直進ガイド部と係合する係合部と、
上記第１の枠と第２の枠との間に配され、第１の枠と第２の枠との間を光密に保つための遮光部材と、
を具備し、上記係合部は、略小半円形状の断面形状をなし、
上記遮光部材は、上記第２の枠の係合部と係合する第１の遮光部と、上記第２の枠の円弧部に当接する第２の遮光部とからなり、
上記直進ガイド部は、上記第１の枠の内部に向けて突出する突起からなり、上記係合部は、上記突起と係合可能な溝からなるとともに、上記第１の遮光部は上記溝に対して押圧された状態で係合され、上記第２の遮光部は上記第２の枠の円弧部に対して非押圧状態で当接されていることを特徴とするレンズ鏡筒の遮光装置。
【請求項２】
第１の枠と、
上記第１の枠の内部に配され、上記第１の枠に対し光軸方向に相対的に移動可能な第２の枠と、
上記第１の枠の内周側に形成された直進ガイド部と、
上記第２の枠の外周側に形成され、上記直進ガイド部と係合する係合部と、
上記第１の枠と第２の枠との間に配され、第１の枠と第２の枠との間を光密に保つための遮光部材と、
を具備し、上記係合部は、略小半円形状の断面形状をなし、
上記遮光部材は、上記第２の枠の係合部と係合する第１の遮光部と、上記第２の枠の円弧部に当接する第２の遮光部とからなり、
上記直進ガイド部は、上記第１の枠の内側に形成された凹部からなり、上記係合部は、上記凹部と係合可能な突条からなるとともに、上記第１の遮光部は上記突条に対して非押圧状態で係合され、上記第２の遮光部は上記第２の枠の円弧部に対して押圧された状態で当接されていることを特徴とするレンズ鏡筒の遮光装置。
【発明の詳細な説明】
【０００１】
【発明の属する技術分野】
本発明は、レンズ鏡筒における枠間の遮光装置の構造に関する。
【０００２】
【従来の技術】
従来、相対回転、および、相対直進移動する枠部材を有するレンズ鏡筒の構造に関して提案された特開２０００−６６０７８号公報に開示のものでは、枠部材を相対的に直進移動させるための直進ガイドがレンズ鏡筒内部に収容された構造が採用されている。
【０００３】
上記構成を有するレンズ鏡筒では、直進ガイドを枠の内部に設けたことによりレンズ鏡筒全体の径方向の大きさが直進ガイド部材の占有エリア分だけ大きくなり、レンズ鏡筒のコンパクト化が難しかった。
【０００４】
そこで、コンパクト化と構成部品点数を減らすことができるレンズ鏡筒として、上記直進ガイド部材を用いず、内枠部材の外周面に直進ガイド用の直進ガイド溝を設け、外枠部材のガイド突起を上記直進ガイド溝に摺動自在に嵌入させて上記内枠部材を直進ガイドするようなレンズ鏡筒が考えられる。
【０００５】
【発明が解決しようとする課題】
上述した内枠部材に上記直進ガイド溝を設けたレンズ鏡筒では、互いに摺動移動する外枠部材と内枠部材の直進ガイド機構を含む隙間の遮光を行う必要がある。外枠部材と内枠部材間の直進ガイド溝回りには凹凸部が形成されており、その凹凸部の遮光を摺動抵抗の少ない状態で行わなければならない。例えば、上記凹部に弾性変形可能なゴムリングなどの遮光部材を枠部材に嵌め込むとすると、上記ゴムリングを押さえ付けるために大きな締め付け力を必要とし、その締め付け力によりレンズ鏡筒の進退駆動力が増大する可能がある。また、レンズ鏡筒に外力が作用した場合でも、外枠部材と内枠部材間に設けた直進ガイド用の凹凸部での遮光状態を安定して維持しなければならないといった問題があった。
【０００６】
本発明は、上述の問題を解決するためになされたものであり、枠部材間の直進ガイド部の隙間の遮光を確実に行い、しかも、レンズ鏡筒のコンパクト化が可能なレンズ鏡筒の遮光装置を提供することを目的とする。
【０００７】
【課題を解決するための手段】
本発明の第１のレンズ鏡筒の遮光装置は、第１の枠と、上記第１の枠の内部に配され、上記第１の枠に対し光軸方向に相対的に移動可能な第２の枠と、上記第１の枠の内周側に形成された直進ガイド部と、上記第２の枠の外周側に形成され、上記直進ガイド部と係合する係合部と、上記第１の枠と第２の枠との間に配され、第１の枠と第２の枠との間を光密に保つための遮光部材と、を具備し、上記係合部は、略小半円形状の断面形状をなし、上記遮光部材は、上記第２の枠の係合部と係合する第１の遮光部と、上記第２の枠の円弧部に当接する第２の遮光部とからなり、
上記直進ガイド部は、上記第１の枠の内部に向けて突出する突起からなり、上記係合部は、上記突起と係合可能な溝からなるとともに、上記第１の遮光部は上記溝に対して押圧された状態で係合され、上記第２の遮光部は上記第２の枠の円弧部に対して非押圧状態で当接されていることを特徴とする。
【０００８】
本発明の第２のレンズ鏡筒の遮光装置は、第１の枠と、上記第１の枠の内部に配され、上記第１の枠に対し光軸方向に相対的に移動可能な第２の枠と、上記第１の枠の内周側に形成された直進ガイド部と、上記第２の枠の外周側に形成され、上記直進ガイド部と係合する係合部と、上記第１の枠と第２の枠との間に配され、第１の枠と第２の枠との間を光密に保つための遮光部材と、を具備し、上記係合部は、略小半円形状の断面形状をなし、上記遮光部材は、上記第２の枠の係合部と係合する第１の遮光部と、上記第２の枠の円弧部に当接する第２の遮光部とからなり、
上記直進ガイド部は、上記第１の枠の内側に形成された凹部からなり、上記係合部は、上記凹部と係合可能な突条からなるとともに、上記第１の遮光部は上記突条に対して非押圧状態で係合され、上記第２の遮光部は上記第２の枠の円弧部に対して押圧された状態で当接されていることを特徴とする。
【００１０】
【発明の実施の形態】
以下、本発明の実施の形態を図に基づいて説明する。
図１は、本発明の第１の実施形態の遮光構造を有するレンズ鏡筒の分解斜視図である。図２は、上記レンズ鏡筒の縦断面図であり、上半部がズームワイド状態、下半部がズームテレ状態を示す。図３，４は、上記レンズ鏡筒の遮光部回りの断面を示し、図３は、図１のＡ−Ａ断面部分の断面図であり、図４は、図１のＢ−Ｂ断面部分の断面図である。また、図５（Ａ），（Ｂ）は、円周遮光部材部分、または、溝遮光部材部分の光軸直交断面を示す図であって、図５（Ａ）は、図３のＣ−Ｃ断面図であり、図５（Ｂ）は、図３のＤ−Ｄ断面図である。
なお、以下の説明において、レンズ鏡筒の被写体側を前方とし、像側を後方とする。
【００１１】
本実施形態のレンズ鏡筒９は、図１，２に示すように主に固定枠（図示せず）と、固定枠に回転自在に支持される回転枠１と、固定枠に対して直進進退可能にガイドされ、回転枠１の外周部に相対回転可能に嵌入される第１の枠である外枠２と、外枠２の内周部に進退自在に嵌入する第２の枠である内枠３と、内枠３の外周部に摺動自在に嵌入する遮光部材である溝遮光部材４および円周遮光部材５と、溝遮光部材４の外周に嵌合する押圧部材であるバネリング６とを有してなる。
【００１２】
上記回転枠１は、円環部材であって、回転枠１の後方リング部１ｂの外周に沿ってヘリコイド雄ねじと平歯車部とが重畳して配置されている。また、上記後方リング部１ｂの前方の外周に沿って外周溝１ｃが配置されている。さらに、回転枠１の内周には、内枠３を進退駆動するための３本のカム溝１ｄが配置されている。
【００１３】
上記回転枠１のヘリコイド雄ねじと平歯車部は、固定枠（図示せず）側のヘリコイド雌ねじおよび長尺ギヤに螺合、または、噛合しており、回転枠１は、長尺ギヤにより回転駆動されると、上記ヘリコイド雌ねじによって回転進退駆動される。
【００１４】
上記外枠２は、同様に円環部材であって、外枠２の前端面の内方側に位置する内方フランジ部２ｆを有している。その内方フランジ部２ｆの内周には、内側に突出する略小半円形状の６つのガイド突起（直進ガイド部）２ａ、および、上記ガイド突起２ａの間に配される６つの内周円弧面２ｇとが略等間隔に配置される。なお、上記内周円弧面２ｇの円弧中心は、撮影レンズの光軸Ｏ、または、外枠２の中心とするが、それ以外の光軸Ｏと平行な軸心であってもよい。
【００１５】
さらに、外枠２の外周後端側のピン穴２ｅにはピン８が固着されている。  上記ピン８の外径側に突出する部が固定枠の直進ガイド溝（図示せず）に摺動自在に嵌入するガイドピン部となり、ピン８の外枠２の内周面側に突出する部分が回転枠１の外周溝１ｃに摺動自在に嵌入するガイドピン部となる。したがって、外枠２は、固定枠により回転規制された状態で、かつ、回転枠１の光軸Ｏ方向の移動と一体の状態で光軸Ｏに沿って進退駆動される。
【００１６】
上記内枠３は、同様に円環状部材であって、光軸Ｏに沿った略小半円溝形状の６本の直進ガイド溝（係合部）３ａと、上記直進ガイド溝３ａの間を結ぶ６つの円弧部からなる外周円筒面３ｇとが配置される。さらに、外周後端部にカムフォロア７が固着されている。上記内枠３の直進ガイド溝３ａと、外枠２のガイド突起２ａとは、互いに係合可能な円周上位置に配置されている。また、溝遮光部材４を密着し易くするために上記直進ガイド溝３ａと外周円筒面３ｇとの接続部分は円弧面で接続されている。
【００１７】
そして、上記内枠３は、外枠２に対して外枠２の内周円弧面２ｇに外周円筒面３ｇを嵌入させ、かつ、外枠２のガイド突起２ａに内枠３の直進ガイド溝３ａを回転規制状態で係合して組み付けられる。したがって、内枠３は、外枠２に対して進退可能状態で支持される。なお、内枠３の内周部には、撮影レンズを保持するレンズ枠（図示せず）等が内蔵される。
【００１８】
上記円周遮光部材５は、弾性変形可能なシリコンゴム等の材料で形成されるリング形状の部材である。この円周遮光部材５の第２の遮光部としての内径部は、その自由状態で内枠３の外周円筒面３ｇの径より圧入代分だけ僅かに小さい。この円周遮光部材５は、図３，４に示すように外枠２の内方フランジ部２ｆの内側と後述する溝遮光部材４との間に挿入された状態で内枠３の外周円筒面３ｇに圧入され、摺動自在に支持される。
【００１９】
上記バネリング６は、ステンレス薄板バネ材料で形成される略リング形状の押圧部材であって、内方フランジ部６ｂと、その内方フランジ部６ｂの内側に突出する略小半円形状突起の回転規制用の６つのストッパ６ａと、外周の６箇所にて一旦光軸Ｏと平行な方向に折り曲げられ、さらに、外周に沿って所定の方向に延びる弾性変形可能な板バネ部６ｄと、その板バネ部６ｄの先端に設けられる略小半円形凸状の爪部６ｃとを有している。なお、上記爪部６ｃの円周上位置は、ストッパ６ａの円周上の配置位置方向と一致し、さらに、組み付け状態で内枠３の直進ガイド溝３ａの円周上の配置位置方向に一致している。
【００２０】
上記溝遮光部材４は、弾性変形可能な人工皮革等の材料で形成されるリング形状の部材であって、溝遮光部材４の内径部は、自由状態で図４に示すように内枠３の外周部の外径に対して隙間のある寸法とする。
【００２１】
そして、溝遮光部材４は、図３，４に示すようにバネリング６の内周部に内方フランジ部６ｂに当接した状態で接着固定される。上記接着状態で溝遮光部材４は、バネリング６の爪部６ｃによってその当接部内周部分が第１の遮光部である突部（凸部）４ｃとして押し出された状態になる（図５（Ｂ））。上記突部４ｃの半径方向位置は、バネリング６のストッパ６ａ上で圧入代分だけ僅かに内側に突出している。
【００２２】
上記バネリング６と、バネリング６に接着固定された上記溝遮光部材４は、図３，４に示すように内枠３の直進ガイド溝３ａに突部４ｃおよびバネリング６のストッパ６ａを係合させた状態で内枠３の外周に挿入され、同時に上記溝遮光部材４は、内枠３に嵌合している外枠２の内周部であって、円周遮光部材５の後方で、回転枠１の前端面の前位置に挿入される。
【００２３】
上記溝遮光部材４の内枠３への挿入時、突部４ｃは、直進ガイド溝３ａに圧接した状態で挿入される。また、光軸Ｏ方向の配置状態では、バネリング６と溝遮光部材４は、回転枠１の前端面と、外枠２の内側に挿入されている円周遮光部材との間に非圧縮状態、あるいは、光軸Ｏ方向には僅かな隙間のある状態で挿入される。したがって、回転枠１が回転したとき、溝遮光部材４、および、円周遮光部材５が光軸Ｏ方向に接触して摺動抵抗が増えるといったことはない。
【００２４】
上記溝遮光部材４の内枠３挿入状態では、溝遮光部材４と接着状態にあるバネリング６のストッパ６が直進ガイド溝３ａに係合している。したがって、溝遮光部材４は、その突部４ｃも直進ガイド溝３ａから逸脱することなく、押圧状態を保ちながら、内枠３に対して相対回転することなく、内枠３に対して摺動する。但し、上記円周遮光部材５の方は、積極的に回転規制されない状態で進退移動する。
【００２５】
上述した構成を有する本実施形態のレンズ鏡筒９においては、回転枠１が回転駆動され、回転しながら進退駆動されると、外枠２は、固定枠に直進ガイドされた状態で回転枠１と共に光軸Ｏに沿って進退移動し、さらに、内枠３は、直進ガイド溝３ａに係合する外枠２のガイド突起２ａによって回転規制されながら回転枠１のカム溝１ｄにより光軸Ｏに沿って直進駆動される。外枠２と内枠３との摺動部の隙間は、上述したように嵌合円周部分を円周遮光部材５の内径部で遮光され、同時に直進ガイド溝係合部回りは、溝遮光部材４の突部４ｃによって確実に遮光される。
【００２６】
すなわち、円周遮光部材５と溝遮光部材４とが組み込まれた内枠３と外枠２においては、内枠３の外周円筒面３ｇと外枠２の内周円弧面２ｇとの円周嵌合隙間部は、円周遮光部材５の圧接によって遮光される。内枠３の直進ガイド溝３ａと外枠２のガイド突起２ａとの係合部回りの係合隙間は、後述するように溝遮光部材４の突部４ｃとその両サイド部を内枠３の直進ガイド溝３ａとその両サイド部に圧接させることによって遮光される。
【００２７】
ここで、内枠３の直進ガイド溝３ａと外枠２のガイド突起２ａとの略小半円形状の係合部周りの領域に関して、内枠３の内周円弧面３ｇと直進ガイド溝３ａとの両側の接続部分を円弧面からなる曲面領域Ｓ2 とＳ3 とする（図５（Ｂ））。そして、上記略小半円形状の係合部と上記曲面領域Ｓ2 とＳ3 とを含む領域を係合領域Ｓ1 とする。
【００２８】
上記曲面領域Ｓ2 とＳ3 を含む係合領域Ｓ1 に生じる隙間部は、溝遮光部材４の突部４ｃとその両サイド部が内枠３の直進ガイド溝３ａとその両サイド部に圧接することによって確実に遮光される（図５（Ｂ））。
【００２９】
本実施形態のレンズ鏡筒９は、上述したように内枠３を外枠２に対して直進ガイドするために従来のレンズ鏡筒のように内部に直進ガイド枠を必要とせず、上記直進ガイドのために外枠２と内枠３とそれぞれガイド突起２ａと、それに係合する直進ガイド溝３ａを設けた構造を有しており、コンパクト化が可能なものである。本実施形態のレンズ鏡筒９で問題となる複雑な形状をもつ直進ガイド機構部の遮光装置として、上述したように摺動する円周部に遮光用の円周遮光部材５と、直進ガイド溝部の遮光用の溝遮光部材４と別部材として組み込み、上記遮光部材５，４を必要以上の力で内枠，外枠３，２に圧接させることなく、確実な遮光を可能にしている。また、溝遮光部材４が内枠３に対して相対回転しないことから安定した遮光性が得られる。しかも、溝遮光部材４が人工皮革等の軟らかい材料で形成されているので、バネリング６の爪部６ｃによって押し出された溝遮光部材４の突部４ｃが内枠３の直進ガイド溝３ａの形状に倣って嵌り込み、確実な遮光が行われる。さらに、上述のように遮光部材の圧接力が小さいことからレンズ鏡筒の進退駆動負荷が増大することがない。
【００３０】
なお、上記第１の実施形態のレンズ鏡筒９における内枠３は、合成樹脂、または、金属材料による射出成形，ダイカスト成形等により製作される形状を有するが、内枠３は、上記製作形状に限らず金属板をプレス成形によって製作した枠部材を適用することも可能である。
【００３１】
次に、本発明の第２の実施形態の遮光構造を有するレンズ鏡筒について図６〜８を用いて説明する。
図６は、本実施形態の遮光構造を有するレンズ鏡筒の分解斜視図である。図７は、上記レンズ鏡筒の遮光部回りの断面形状を示す図６のＥ−Ｅ断面部分の断面図である、図８は、図７のＦ−Ｆ断面図である。
【００３２】
本実施形態のレンズ鏡筒１０は、図６に示すように主に固定枠（図示せず）と、固定枠に回転自在に支持される回転枠１１と、固定枠に対して直進進退可能にガイドされ、回転枠１１の外周部に相対回転可能に嵌入される第１の枠である外枠１２と、外枠１２の内周部に進退自在に嵌入する第２の枠である内枠１３と、内枠１３の外周部に摺動自在に嵌入する遮光部材１４とを有してなる。
【００３３】
上記回転枠１１は、円環部材であって、回転枠１１の後方リング部１１ｂの外周に沿ってヘリコイド雄ねじと平歯車部とが重畳して配置されている。また、上記後方リング部１１ｂの前方の外周に沿って外周溝１１ｃが配置されている。さらに、回転枠１１の内周には、内枠１３を進退駆動するための３本のカム溝１１ｄが配置されている。
【００３４】
上記回転枠１１のヘリコイド雄ねじと平歯車部は、固定枠（図示せず）側のヘリコイド雌ねじおよび長尺ギヤに螺合、または、噛合しており、回転枠１１は、長尺ギヤにより回転駆動されると、上記ヘリコイド雌ねじによって回転進退駆動される。
【００３５】
上記外枠１２は、同様に円環部材であって、外枠１２の前端面の内方側に位置する内方フランジ部１２ｆを有している。その内方フランジ部１２ｆの内周には、内側に突出する略小半円形状の６つのガイド突起（直進ガイド部）１２ａ、および、上記ガイド突起１２ａの間に配される６つの内周円弧面１２ｇが略等間隔に配置される。さらに、内方フランジ部１２ｆの後方内周部には、内周方向で各ガイド突起１２ａと同一配設角度方向位置であって、各ガイド突起１２aよりも凸量の少ない６つの略小半円形状（先端）の突起部１２ｈが配置されている（図８）。なお、上記内周円弧面１２ｇの円弧中心は、撮影レンズの光軸Ｏ、または、外枠１２の中心とするが、それ以外の光軸Ｏと平行な軸心とすることも可能である。
【００３６】
上記外枠１２の外周後端側のピン穴１２ｅにはピン１５が固着されている。上記ピン１５の外径側に突出する部が固定枠の直進ガイド溝（図示せず）に摺動自在に嵌入するガイドピン部となり、ピン１５の外枠１２の内周面側に突出する部分が回転枠１１の外周溝１１ｃに摺動自在に嵌入するガイドピン部となる。したがって、外枠１２は、固定枠により回転規制された状態で、かつ、回転枠１１の光軸Ｏ方向の移動と一体で光軸Ｏに沿って進退駆動される。
【００３７】
上記内枠１３は、同様に円環状部材であって、光軸Ｏに沿った略小半円溝形状の６本の直進ガイド溝（係合部）１３ａと、上記直進ガイド溝１３ａの間を結ぶ６つの円弧部からなる外周円筒面１３ｇとを有し、さらに、外周後端部の穴部１３ｅにカムフォロア１６が固着されている。上記内枠１３の直進ガイド溝１３ａと、外枠１２のガイド突起１２ａとは、係合可能な円周上の位置に配置されている。また、遮光部材１４を密着し易くするために上記直進ガイド溝１３ａと外周円筒面１３ｇとの接続部分は、円弧面で接続されている。
【００３８】
そして、上記内枠１３は、外枠１２に対して外枠１２の内周円弧面１２ｇに外周円筒面１３ｇを嵌入させ、かつ、外枠１２のガイド突起１２ａに内枠１３の直進ガイド溝１３ａを回転規制状態で係合させて組み付けられる。したがって、内枠１３は、外枠１２に対して進退可能状態で支持される。なお、内枠１３の内周部には、撮影レンズを保持するレンズ枠（図示せず）等が内蔵される。
【００３９】
上記遮光部材１４は、弾性変形可能なシリコンゴム等の材料で形成され、内周面に複数の突部を有するリング形状の部材である。この遮光部材１４は、内周部に第１の遮光部としての６つの略小半円形状の突部（凸部）１４ａと、その突部１４ａの間を結ぶ面であって、第２の遮光部としての６つの内周円弧面１４ｇとを有している。なお、遮光部材１４の取り付け前の状態では、上記突部１４ａの内接円径は、内枠１３の直進ガイド溝１３ａの谷部の内接円径より僅かに小さく、圧接可能となっている。また、上記内周円弧面１４ｇの径は、内枠１３の外周円筒面１３ｇより僅かに小さく、圧入可能となっている。
【００４０】
上記遮光部材１４は、図７，８に示すように内枠１３の直進ガイド溝１３ａに突部１４ａを圧接係合させ、かつ、外周円筒面１３ｇに内周円弧面１４ｇを圧入嵌合させて内枠１３に挿入する。同時に、上記遮光部材１４は、内枠１３に嵌合している外枠１２の内方フランジ部１２ｆの内側と回転枠１１との間に位置するように嵌合挿入される。その挿入状態で遮光部材１４の突部１４ａの外方対向位置が外枠１２の突起部１２ｈで内方向に押圧された状態となる（図８）。したがって、遮光部材１４は、その突部１４ａが内枠１３の直進ガイド溝１３ａに確実に圧接された状態で内枠１３により回転規制され、回転枠１１および外枠１２とともに進退移動する。同時に進退移動時、突部１４ａが直進ガイド溝１３ａから外れることが確実に防止される。
【００４１】
なお、遮光部材１４の光軸Ｏ方向の配置について、遮光部材１４は、回転枠１１の前端面と、外枠１２のフランジ面１２ｆ内面とで押圧されない状態、あるいは、僅かな隙間のある状態で組み込まれているので、回転枠１１の回転動作時に遮光部材１４が光軸Ｏ方向で接触して摺動抵抗が増えるようなことはない。
【００４２】
上述した構成を有する本実施形態のレンズ鏡筒１０においては、回転枠１１が回転駆動され、回転しながら進退駆動されると、外枠１２は、固定枠に直進ガイドされた状態で回転枠１１と共に光軸Ｏに沿って進退移動し、さらに、内枠１３は、直進ガイド溝１３ａに係合する外枠２のガイド突起１２ａによって回転規制されながら回転枠１１のカム溝１１ｄにより光軸Ｏに沿って直進駆動される。そして、外枠１２と内枠１３との形状が複雑な摺動嵌合部の隙間は、上述したように遮光部材１４によって遮光される。
【００４３】
すなわち、遮光部材１４が組み込まれた内枠１３と外枠１２においては、内枠１３の外周円筒面１３ｇと、外枠１２の内周円弧面１２ｇとの円周嵌合隙間部は、遮光部材１４の内周円弧面１４ｇが内枠１３の外周円筒面１３ｇに圧接することよって遮光される。また、内枠１３の直進ガイド溝１３ａと外枠１２のガイド突起１２ａとの係合部回りの係合隙間は、遮光部材１４の突部１４ｃとその両サイド部を内枠１３の直進ガイド溝１３ａおよびその両サイド部に圧接させることによって遮光される。
【００４４】
本実施形態のレンズ鏡筒１０も上述したように内枠１３を外枠１２に対して直進ガイドするために従来のレンズ鏡筒のように内部に直進ガイド枠を必要とせず、上記直進ガイドのために外枠１２と内枠１３とにそれぞれガイド突起１２ａと、それに係合する直進ガイド溝１３ａを設けた構造を有しており、コンパクト化可能なものである。
【００４５】
本実施形態のレンズ鏡筒１０で問題となる内枠１３と外枠１２との複雑な形状の直進ガイド機構部の遮光装置として特に本実施形態の場合、上述したように摺動する１つの遮光部材１４を組み込み、その突部１４ａおよびその両サイド部で上記直進ガイド溝１３ａおよびその両サイド部との確実な遮光が行われる。また、遮光部材１４が内枠１３に対して相対回転しないことから安定した遮光状態が得られる。また、遮光部材として単一の遮光部材１４を適用するのでレンズ鏡筒の光軸Ｏ方向の長さが短くでき、また、遮光装置の部品点数を減らすことができ、同時に組み立て性も向上する。
【００４６】
なお、上記第２の実施形態のレンズ鏡筒１０における外枠１２，内枠１３は、合成樹脂、または、金属材料による射出成形，ダイカスト成形等により製作される形状を有するが、外枠１２，内枠１３は、上記製作形状に限らず金属板をプレス成形した枠部材とすることも可能である。
【００４７】
上記外枠に金属板でプレス成形した枠部材を適用した場合のレンズ鏡筒の変形例の１つとして図９，１０および図１１（Ａ），（Ｂ）に示すものを提案することができる。
この変形例のレンズ鏡筒は、前記第２の実施形態のレンズ鏡筒１０に対して外枠が金属板で形成され、前記実施形態における外枠１２の前端側内周部に設けられた突起部１２ｈに代えて金属板製の締め付け部材を付加した点が異なる。それ以外の構成は、前記第２の実施形態のレンズ鏡筒１０の場合と同様に回転枠１１，内枠１３，遮光部材１４等を適用する。以下、異なる部分について説明する。
【００４８】
なお、図９は、本変形例のレンズ鏡筒の遮光部回りの断面形状を示す。図１０は、図９のＧ−Ｇ断面部分の断面図である、図１１（Ａ），（Ｂ）は、本変形例のレンズ鏡筒の内枠に外力が作用して、内枠が上方に変位したときの遮光部の状態を示す光軸Ｏと直交断面での断面図であり、図１１（Ａ）は、レンズ鏡筒の上方部分を示し、図１１（Ｂ）は、レンズ鏡筒の下方部分を示す。
【００４９】
本変形例のレンズ鏡筒における外枠１８は、金属板製の円環部材であって、図９に示すように外枠１８の前端面の内方に延びる内方フランジ部１８ｆを有している。その他、上記外枠１８には、前記外枠１２と同様に内方フランジ部１８ｆにガイド突起１８ａが設けられ、さらに、内周円弧面やピンが同様に配置されている。そして、外枠１８の内方フランジ部１８ｆの内側であって、回転枠１１の前端面との間の隙間に、金属板製の締め付け部材１９が挿入される。
【００５０】
上記締め付け部材１９は、光軸Ｏ方向の幅が遮光部材１４の幅より僅かに広い略リング状の１つの板バネ部材であって、円周上６箇所に内側への突起部１９ｈが設けられる。この締め付け部材１９の外周部は、外枠１８の内周部に挿入される。
【００５１】
上記突起部１９ｈは、外枠１８への組み込み状態でガイド突起１８ａよりも凸量が少なく、ガイド突起１８aの後方に円周方向で同一配設角度方向位置に配置される。その突起部１９ｈは、組み込まれた遮光部材１４の突部１４ａの外周部分を押圧する。したがって、遮光部材１４の突部１４ａが内枠１３の直進ガイド溝１３ａに密着し、かつ、外れないように押圧される。
【００５２】
本変形例のレンズ鏡筒において、内枠１３に外力が作用し、外枠１８に対して相対的に上方に変位した場合の係合状態について説明する。なお、図１１（Ａ），（Ｂ）では、内枠１３の変位前の状態を２点鎖線で示し、変位後の内枠１３が上方に相対変位した状態を実線で示している。
【００５３】
外枠１８と内枠１３の中心軸が相対的に上方にずれた場合、ずれた方向の締付け部材１９の突起部１９ｈは、内枠１３が移動したことによって内枠１３の直進ガイド溝１３ａに遮光部材１４を介して中心軸がずれる前より強い力で押さえられる。そして、締付け部材１９は、円周方向に移動可能なため、内枠１３の変位により上方に位置する突起部１９ｈは、突起部１９ｉの形状に変化する。締付け部材１９の突起部１９ｉの円弧の径の大きさが大きく変形することにより、半径方向の力から円周方向の力に変換され、円周方向に伝わる。その力の一部は、ずれた方向の締付け部材１９の突起部１９ｉの反対側の突起部１９ｊで半径方向の力に変換され、遮光部材１４を介して内枠１３の直進ガイド溝１３ａを押圧する。したがって、直進ガイド溝１３ａと遮光部材１４との押さえ付ける力の増大および減少の変化が少なくなるように自動調節される。このようにして、外枠１８と内枠１３との中心軸が相対的にずれるような場合においても、遮光部材１４と内枠１３との当接状態が確実に保たれる。
【００５４】
本変形例のレンズ鏡筒によれば、外枠１２と遮光部材１４の間に締付け部材１９を設け、締付け部材１９の突起部１９ｈにより遮光部材１４の突部１４ａが押圧されるので、内枠１３の直進ガイド溝１３ａの周辺が確実に押さえ付けられる。したがって、形状が複雑な外枠１８のガイド突起１８ａと内枠１３の直進ガイド溝１３ａの係合部の遮光を確実に行うことができる。
【００５５】
また、内枠１３と外枠１８の中心軸が外力（予期せぬ力）でずれた場合でも締付け部材１９が変形することによって、中心軸のずれによる内枠１３の直進ガイド溝１３ａと遮光部材１４の押さえ付ける力の増大および減少の変化を小さく抑えることができ、外枠１８と内枠１３との直進ガイド係合部の遮光を安定して行うことができる。
【００５６】
次に、本発明の第３の実施形態の遮光構造を有するレンズ鏡筒について図１２〜１４を用いて説明する。
図１２は、本実施形態の遮光構造を有するレンズ鏡筒の分解斜視図である。図１３は、上記レンズ鏡筒の遮光部回りの断面形状を示す図１２のＨ−Ｈ断面部分の断面図である。図１４は、図１３のＩ−Ｉ断面図である。
【００５７】
本実施形態のレンズ鏡筒２０は、図１２に示すように主に固定枠（図示せず）と、固定枠に回転自在に支持される回転枠２１と、固定枠に対して直進進退可能にガイドされ、回転枠２１の外周部に相対回転可能に嵌入される第１の枠の外枠２２と、外枠２２の内周部に進退自在に嵌入する第２の枠の内枠２３と、内枠２３の外周部に摺動自在に嵌入する遮光部材２４とを有してなる。
【００５８】
上記回転枠２１は、円環部材であって、回転枠２１の後方リング部２１ｂの外周に沿ってヘリコイド雄ねじと平歯車部とが重畳して配置されている。また、上記後方リング部２１ｂの前方の外周に沿って外周溝２１ｃが配置されている。さらに、回転枠２１の内周には、内枠２３を進退駆動するための３本のカム溝２１ｄが配置されている。
【００５９】
上記回転枠２１のヘリコイド雄ねじと平歯車部は、固定枠（図示せず）側のヘリコイド雌ねじおよび長尺ギヤに螺合、または、噛合しており、回転枠２１は、長尺ギヤにより回転駆動されると、上記ヘリコイド雌ねじによって回転進退駆動される。
【００６０】
上記外枠２２は、同様に円環部材であって、外枠２２の前端面の内方側に位置する内方フランジ部２２ｆを有している。その内方フランジ部２２ｆの内周には、内側に突出する略小半円凹形状の６つのガイド凹部（直進ガイド部）２２ａ、および、上記ガイド凹部２２ａの間に配される６つの内周円弧面２２ｇが略等間隔に配置される。さらに、内方フランジ部２２ｆの後方には、各ガイド凹部２２ａを円周方向で挟むように２つずつ、計１２箇所に略小半円形状（先端）の突起部２２ｈが配置されている。
なお、上記内周円弧面２２ｇの円弧中心は、光軸Ｏ、または、外枠２２の中心軸とするが、それ以外の光軸Ｏと平行な軸心であってもよい。
【００６１】
さらに、外枠２２の外周後端側のピン穴２２ｅにはピン２５が固着されている。上記ピン２５の外径側に突出する部が固定枠の直進ガイド溝（図示せず）に摺動自在に嵌入するガイドピン部となり、ピン２５の外枠２２の内周面側に突出する部分が回転枠２１の外周溝２１ｃに摺動自在に嵌入するガイドピン部となる。したがって、外枠２２は、固定枠により回転規制された状態で、かつ、回転枠２１の光軸Ｏ方向の移動と一体の状態で光軸Ｏに沿って進退駆動される。
【００６２】
上記内枠２３は、同様に円環状部材であって、光軸Ｏに沿った略小半円形凸断面の６本の突条（係合部）２３ａと、上記突条２３ａの間を結ぶ６つの円弧部からなる外周円筒面２３ｇとが配置される。さらに、外周後端部の穴部２３ｅにカムフォロア２６が固着されている。上記内枠２３の突条２３ａと、外枠２２のガイド凹部２２ａとは、係合可能な円周上の位置に配置されている。また、遮光部材２４を密着し易くするために上記突条２３ａと外周円筒面２３ｇとの接続部分は、円弧面で接続されている。
【００６３】
そして、上記内枠２３は、外枠２２に対して外枠２２の内周円弧面２２ｇに外周円筒面２３ｇが嵌入し、かつ、内枠２３の突条２３ａに外枠２２のガイド凹部２２ａが回転規制状態で係合して組み付けられ、進退可能状態で支持される。なお、内枠２３の内周部には、撮影レンズを保持するレンズ枠（図示せず）等が内蔵される。
【００６４】
上記遮光部材２４は、弾性変形可能なシリコンゴム等の材料で形成され、内周面に複数の凹部を有するリング形状の部材である。この遮光部材２４は、内周部に第１の遮光部としての６つの略小半円状切り欠きである凹部２４ａと、その凹部２４ａの間を結ぶ面であって、第２の遮光部としての６つの内周円弧面２４ｇとを有している。なお、遮光部材２４の取り付け前の状態では、上記凹部２４ａの外接円径は、内枠２３の突条２３ａの外接円径より僅かに小さく、圧接可能となっている。また、上記内周円弧面２４ｇの径は、内枠２３の外周円筒面２３ｇより僅かに小さく、圧入可能となっている。
【００６５】
上記遮光部材２４は、図１３，１４に示すように内枠２３の突条２３ａに凹部を圧接係合させ、かつ、内周円弧面２４ｇを外周円筒面２３ｇに圧入嵌合させて内枠２３に挿入する。さらに、上記遮光部材２４は、外枠２２の内方フランジ部２２ｆの内側に挿入される。その挿入状態で遮光部材２４の外周面の各凹部２４ａの両サイド部が外枠２２の各２つの突起部２２ｈで内方向に押圧された状態となる（図１４）。したがって、遮光部材２４の凹部２４ａは、上記各２つの突起部２２ｈで押さえ込まれ、内枠２３の突条２３ａに確実に密着し、進退移動中の外れも防止される。
【００６６】
上述のように組み込まれた遮光部材２４は、その凹部２４ａが内枠２３の突条２３ａに圧接された状態で内枠１３で回転規制され、かつ、回転枠２１および外枠２２とともに進退移動する。なお、遮光部材２４の光軸Ｏ方向の配置に関しては、遮光部材２４が回転枠２１の前端面と、外枠２２のフランジ面２２ｆ内面とで押圧されない状態、あるいは、僅かな隙間のある状態で組み込まれるので、回転枠２１の回転時に遮光部材２４が光軸Ｏ方向で接触して摺動抵抗が増えるといったことはない。
【００６７】
上述した構成を有する本実施形態のレンズ鏡筒２０においては、回転枠２１が回転駆動され、回転しながら進退駆動されると、外枠２２は、固定枠に直進ガイドされた状態で回転枠２１と共に光軸Ｏに沿って進退移動し、さらに、内枠２３は、突条２３ａに係合する外枠２のガイド凹部２２ａによって回転規制されながら回転枠２１のカム溝２１ｄにより光軸Ｏに沿って直進駆動される。外枠２２と内枠２３との摺動嵌合部の隙間は、上述したように遮光部材２４によって遮光される。
【００６８】
すなわち、遮光部材２４が組み込まれた内枠２３と外枠２２においては、内枠２３の外周円筒面２３ｇと外枠２２の内周円弧面２２ｇとの円周嵌合隙間部は、遮光部材２４の内周円弧面２４ｇが内枠２３の外周円筒面２３ｇに圧接することよって遮光される。また、内枠２３の突条２３ａと外枠２のガイド凹部２２ａとの係合部回りの係合隙間は、遮光部材２４の凹部２４ａとその両サイド部を内枠２３の突条２３ａおよびその両サイド部に圧接させることによって遮光される。なお、上記遮光部材２４は、内枠２３に対して内枠２３の突条で回転が規制されて光軸Ｏ方向にのみ相対移動する。
【００６９】
本実施形態のレンズ鏡筒２０も上述したように内枠２３を外枠２２に対して直進ガイドするために従来のレンズ鏡筒のように内部に直進ガイド枠を必要とせず、上記直進ガイドのために外枠２２と内枠２３とにそれぞれガイド凹部２２ａと、それに係合する突条２３ａを設ける構造を有しており、コンパクト化が可能なものである。
【００７０】
本実施形態のレンズ鏡筒２０で問題となる内枠２３と外枠２２との複雑な形状の直進ガイド機構部の遮光装置に関して、特に本実施形態の場合、上述したように摺動する単一の遮光部材２４を組み込み、各凹部２４ａとその両サイド部で内枠２３の上記突条２３ａとその両サイド部を外側から２つの突起部２２ｈにより押圧して効率よく密着させることで確実な遮光を可能としている。同時に遮光部材２４の内周円弧面２４ｇで内枠２３の外周円弧部２３ａの遮光が行われる。そして、遮光部材２４が内枠２３に対して相対回転することがないので遮光状態が安定する。さらに、遮光部材として単一の遮光部材２４のみを使用することから光軸Ｏ方向の占有エリアが少なく、レンズ鏡筒のコンパクト化が可能となり、しかも、遮光装置の部品点数を減らすことができ、同時に組み立て性も向上する。
【００７１】
なお、上記第３の実施形態のレンズ鏡筒２０における外枠２２，内枠２３は、合成樹脂、または、金属材料による射出成形，ダイカスト成形等により製作される形状を有するが、上記外枠２２，内枠２３は、上記製作形状に限らず金属板をプレス成形した枠部材とすることも可能である。
【００７２】
上記外枠２２を金属板でプレス成形した枠部材を適用した場合のレンズ鏡筒の変形例の１つとして図１５，１６と図１７（Ａ），（Ｂ）に示すものを提案することができる。
【００７３】
本変形例のレンズ鏡筒は、前記第３の実施形態のレンズ鏡筒２０に対して外枠が金属板で形成され、前記実施形態における外枠２２の前端側内周部に設けられた突起部２２ｈに代えて金属板製の締め付け部材を組み込む点が異なる。それ以外の構成は、前記第３の実施形態のレンズ鏡筒２０の場合と同様に回転枠２１，内枠２３，遮光部材２４等を適用する。以下、異なる部分について説明する。
【００７４】
なお、図１５は、本変形例のレンズ鏡筒の遮光部回りの断面形状を示す。図１６は、図１５のＪ−Ｊ断面部分の断面図である、図１７（Ａ），（Ｂ）は、本変形例のレンズ鏡筒の内枠に外力が作用して、内枠が上方に変位したときの遮光部の状態を示す光軸Ｏと直交断面での断面図である。図１７（Ａ）は、上記レンズ鏡筒の上方部分を示し、図１７（Ｂ）は、上記レンズ鏡筒の下方部分を示す。
【００７５】
本変形例のレンズ鏡筒における外枠２８は、金属板製の円環部材であって、図１５に示すように外枠２８の前端面の内方に延びる内方フランジ部２８ｆを有している。その他、上記外枠２８には、内方フランジ部２８ｆにガイド凹部２８ａが設けられ、さらに、前記外枠２２と同様に内周円弧面やピンが同様に配置されている。
【００７６】
そして、外枠２８の内方フランジ部２８ｆの内側であって、回転枠２１の前端面との間の隙間に、金属板製の締め付け部材２９が挿入される。
【００７７】
上記締め付け部材２９は、光軸Ｏ方向の幅が遮光部材１４の幅より僅かに広い略リング状の１つの板バネ部材であって、円周上２つずつ計１２箇所に内側への突起部２９ｈが設けられる。この締め付け部材２９の外周部は、外枠２２の内側に挿入される。
【００７８】
上記突起部２９ｈは、外枠２８への組み込み状態で各ガイド凹部２８ａに対応して円周上の配設位置方向に跨いだ対の状態で配置される。そして、径方向に弾性変形した状態で遮光部材２４の各凹部２３ａに対向する外径側の２箇所を押圧する。したがって、遮光部材２４の凹部２４ａが内枠２３の突条２３ａに密着しかつ、外れないように押圧された状態に保たれる。
【００７９】
本変形例のレンズ鏡筒において、内枠２３に外力が作用し、外枠２８に対して相対的に上方に変位した場合の係合状態について説明する。なお、図１７（Ａ），（Ｂ）では、内枠２３の変位前の状態を２点鎖線で示し、変位後の内枠２３が上方に相対変位した状態を実線で示している。
【００８０】
上述のように内枠２３と外枠２８との中心軸が相対的に上下にずれた場合、ずれた方向の締付け部材２９の突起部２９ｈは、内枠２３が移動したことによって内枠２３の突条２３ａに遮光部材２４を介して中心軸がずれる前より強い力で押さえられる。そして、締付け部材２９は、円周方向に移動可能なため、内枠２３の変位により突起部２９ｈは、突起部２９ｉの形状に変化する（図１７（Ａ））。締付け部材２９の突起部２９ｉの円弧の径の大きさが大きく変形することにより、半径方向の力から円周方向の力に変換され、円周方向に伝わる。その力の一部は、ずれた方向の締付け部材２９の突起部２９ｉの反対側の突起部２９ｊで半径方向の力に変換され、遮光部材２４を介して内枠２３の突条２３ａを押す力に付加される。
【００８１】
本変形例のレンズ鏡筒によれば、外枠２２と遮光部材２４の間に締付け部材２９を設けることで締付け部材２９の各２つの突起部２９ｈで遮光部材２４の各凹部２４ａの両サイドを外方から押圧する。その押圧により上記凹部２４ａを内枠２３の突条２３ａの周辺に確実に押さえ付け、形状が複雑な外枠２８のガイド凹部２８ａと内枠２３の突条２３ａの遮光を安定して行うことができる。
【００８２】
また、内枠２３と外枠２８の中心軸が外力（予期せぬ力）でずれた場合でも締付け部材２９が変形することによって、中心軸のずれによる内枠２３の突条２３ａと遮光部材２４の押さえ力の増大および減少の変化を抑え、外枠２８と内枠１３の直進ガイドのための係合部の遮光を安定して行うことができる。
【００８３】
本発明により以下の構成を提案することができる。すなわち、
（付記１）  光軸方向の一端部に内側に向けて突出する直進ガイド部が形成された第１の枠と、
上記第１の枠の内側に配され、上記直進ガイド部と係合可能であって光軸方向に延出する溝部が形成された、上記第１の枠に対し光軸方向に相対的に移動可能な第２の枠と、
上記第１の枠と第２の枠との間に配され、上記第１の枠と第２の枠との間を光密に保つための遮光部材と、
上記遮光部材と上記第１の枠との間に配され、上記遮光部材を上記第２の枠に対して当接するように押圧する押圧部材と、
を具備し、上記押圧部材は、上記第２の枠の円周方向で、上記溝部に対応する位置にて上記遮光部材を押圧することを特徴とするレンズ鏡筒の遮光装置。
【００８４】
（付記２）  上記遮光部材は、上記溝部と係合可能な凸部と、上記第２の枠の外周に対して形成された円弧部とからなることを特徴とする付記１に記載のレンズ鏡筒の遮光装置。
【００８５】
（付記３）  光軸方向の一端部に内側に向けて突出する直進ガイド部が形成された第１の枠と、
上記第１の枠の内側に配され、上記直進ガイド部と係合可能であって光軸方向に延出する溝部が形成された、上記第１の枠に対して光軸方向に相対的に移動可能な第２の枠と、
上記第１の枠と第２の枠との間に配され、上記第１の枠と第２の枠との間を光密に保つための遮光部材と、
上記第１の枠の内周面上にあって、円周方向で上記溝部に対応する位置に形成された押圧部とを具備し、
上記押圧部は、上記遮光部材が上記第２の枠に当接するように上記遮光部材を押圧することを特徴とするレンズ鏡筒の遮光装置。
【００８６】
（付記４）  上記遮光部材は、上記溝部と係合可能な凸部と、上記第２の枠の外周に対応して形成された円弧部とからなることを特徴とする付記３に記載のレンズ鏡筒の遮光装置。
【００８７】
（付記５）  光軸方向の一端部の内側に穿設された凹部からなる直進ガイド部が形成された第１の枠と、
上記第１の枠の内側に配され、上記直進ガイド部と係合可能であって光軸方向に延出する突条が形成された、上記第１の枠に対し光軸方向に相対的に移動可能な第２の枠と、
上記第１の枠と第２の枠との間に配され、上記第１の枠と第２の枠との間を光密に保つための遮光部材と、
上記遮光部材と上記第１の枠との間に配され、上記遮光部材を上記第２の枠に対して当接するように押圧する押圧部材と、
を具備し、上記押圧部材は、上記第２の枠の円周方向で、上記突条の両側に対応する位置にて上記遮光部材を押圧することを特徴とするレンズ鏡筒の遮光装置。
【００８８】
（付記６）  上記遮光部材は、上記突条と係合可能な凹部と、上記第２の枠の外周に対応して形成された円弧部とからなることを特徴とする付記５に記載のレンズ鏡筒の遮光装置。
【００８９】
（付記７）  光軸方向の一端部の内周側に穿設された凹部からなる直進ガイド部が形成された第１の枠と、
上記第１の枠の内側に配され、上記直進ガイド部と係合可能であって光軸方向に延出する突条が形成された、上記第１の枠に対し光軸方向に相対的に移動可能な第２の枠と、
上記第１の枠と第２の枠との間に配され、上記第１の枠と第２の枠との間を光密に保つための遮光部材と、
上記第１の枠の内周面上であって、円周方向で上記突条の両側に対応する位置に形成された押圧部と、
を具備し、上記押圧部は、上記遮光部材が上記第２の枠に当接するように上記遮光部材を押圧することを特徴とするレンズ鏡筒の遮光装置。
【００９０】
（付記８）  上記遮光部材は、上記突条と係合可能な凹部と、上記第２の枠の外周に対応して形成された円弧部とからなることを特徴とする付記７に記載のレンズ鏡筒の遮光装置。
【００９１】
【発明の効果】
本発明によると、第１の枠に対して相対的に進退移動可能に支持される第２の枠と上記第１の枠の嵌合隙間の遮光を遮光部材より行う装置であって、上記嵌合隙間の安定した遮光が行え、しかも、上記遮光部材による枠部材への締め付け力を減じることでレンズ鏡筒の進退駆動負荷の増加が抑えられ、さらに、レンズ鏡筒のコンパクト化も可能なレンズ鏡筒の遮光装置を提供することができる。
【図面の簡単な説明】
【図１】本発明の第１の実施形態の遮光構造を有するレンズ鏡筒の分解斜視図である。
【図２】上記図１のレンズ鏡筒の縦断面図であり、上半部がズームワイド状態、下半部がズームテレ状態を示す。
【図３】上記図１のレンズ鏡筒の遮光部回りの断面を示す図１のＡ−Ａ断面図である。
【図４】上記図１のレンズ鏡筒の遮光部回りの断面を示す図１のＢ−Ｂ断面図である。
【図５】上記図１のレンズ鏡筒における円周遮光部材部分、または、溝遮光部材部分の光軸直交断面を示す図であって、図５（Ａ）は、図３のＣ−Ｃ断面図であり、図５（Ｂ）は、図３のＤ−Ｄ断面図である。
【図６】本発明の第２の実施形態の遮光構造を有するレンズ鏡筒の分解斜視図である。
【図７】上記図６のレンズ鏡筒の遮光部回りの断面形状を示す図６のＥ−Ｅ断面図である。
【図８】上記図７のＦ−Ｆ断面図である。
【図９】上記図６のレンズ鏡筒の変形例における遮光部回りの断面形状を示す。
【図１０】上記図９のＧ−Ｇ断面部分の断面図である。
【図１１】上記図９の変形例のレンズ鏡筒にて内枠に外力が作用して、内枠が上方に変位したときの遮光部の状態を示す光軸と直交断面での断面図であり、図１１（Ａ）は、レンズ鏡筒の上方部分を示し、図１１（Ｂ）は、レンズ鏡筒の下方部分を示す。
【図１２】本発明の第３の実施形態の遮光構造を有するレンズ鏡筒の分解斜視図である。。
【図１３】上記図１２のレンズ鏡筒の遮光部回りの断面形状を示す図１２のＨ−Ｈ断面部分の断面図である。
【図１４】上記図１３のＧ−Ｇ断面図である。
【図１５】上記図１２のレンズ鏡筒の変形例における遮光部回りの断面形状を示す。
【図１６】図１６は、図１５のＪ−Ｊ断面部分の断面図である、。
【図１７】上記図１５の変形例のレンズ鏡筒において、内枠に外力が作用して、内枠が上方に変位したときの遮光部の状態を示す光軸と直交断面での断面図であり、図１７（Ａ）は、レンズ鏡筒の上方部分を示し、図１７（Ｂ）は、レンズ鏡筒の下方部分を示す。
【符号の説明】
２，１２，１８，２２，２９…外枠（第１の枠）
２ａ，１２ａ…ガイド突起（突起，直進ガイド部）
３，１３，２３…内枠（第２の枠）
３ａ，１３ａ…直進ガイド溝（係合部，溝）
３g，１３g，２３g…外周円筒面（円弧部）
４  …溝遮光部材（遮光部材）
４ｃ，１４ａ…突部（第１の遮光部，遮光部材）
５  …円周遮光部材（第２の遮光部，遮光部材）
１４，２４…遮光部材
１４ｇ，２４ｇ…内周円弧面（第２の遮光部）
２２ａ，２８ａ…ガイド凹部（直進ガイド部，凹部）
２３ａ…突条（係合部）
２４ａ…凹部（第１の遮光部）
【図１】
0004037665.tif 000002
【図２】
0004037665.tif 000003
【図３】
0004037665.tif 000004
【図４】
0004037665.tif 000005
【図５】
0004037665.tif 000006
【図６】
0004037665.tif 000007
【図７】
0004037665.tif 000008
【図８】
0004037665.tif 000009
【図９】
0004037665.tif 000010
【図１０】
0004037665.tif 000011
【図１１】
0004037665.tif 000012
【図１２】
0004037665.tif 000013
【図１３】
0004037665.tif 000014
【図１４】
0004037665.tif 000015
【図１５】
0004037665.tif 000016
【図１６】
0004037665.tif 000017
【図１７】
0004037665.tif 000018